(57)【要約】【課題】利き手によらず開閉でき、帯が収納でき、かつ携帯端末を素早く横向き、縦向きに安定して置き使用できる携帯端末用手帳型多機能ケースをシンプルな構造で提供する。【解決手段】携帯端末の背面から片側側面そして正面を保護するカバー２とその開閉用の帯３からなり、カバー２は携帯端末正面の画面を保護するカバー正面２１、携帯端末の片側側面を保護するカバー側面２２、携帯端末の背面を取り付け保護するカバー背面２３に加えて、カバー正面２１とカバー背面２３の外側に、中央よりややカバーが開く側寄りにそれぞれ１ヶ所ずつ設ける２つのホック突２１１，２３１からなる。帯３には、ホック突２１１，２３１と係脱するホック孔３２を両端に設ける。この２組のホックをワンタッチで留め外しすることによって、左右どちらの利き手でも開閉が可能になり、安定した縦及び横置きが可能になるシンプルな構造で使用方法が簡単な携帯端末用手帳型多機能ケースとした。【選択図】図１
2016208479.tif 000002
【特許請求の範囲】
【請求項１】
携帯端末本体を保護するカバーとその開閉用の帯、そしてそれらに設けられる２組のホックで構成し、カバーは携帯端末正面の画面を保護するカバー正面、携帯端末の片側側面を保護するカバー側面、携帯端末背面を取り付け保護するカバー背面を備え、カバー正面とカバー背面には、カバー外側の開く側寄りにそれぞれ１ヶ所ホック突を備え、帯には本体側ホック突と係脱するホック孔を両端に設け、この２組のホックの留め外しによって、左右どちらの利き手でも開閉が可能としたことを特徴とする携帯端末用手帳型多機能ケース。
【請求項２】
携帯端末用手帳型多機能ケースのカバーを２つ折りにし、２組のホックを留めケースを閉じた状態から、２組のホックの内いずれか片方を外し、ケースを開き、カバーを閉じていた時と逆向きに折り曲げ、さらに帯を１８０度回転させ、閉じていた時と逆に反らせたあと、ホックを再び留めることでカバーはＶ字に固定され、安定して縦置きするように、帯の長さを設定し、ホック突の取付け位置を設けたことを特徴とする請求項１記載の携帯端末用手帳型多機能ケース。
【請求項３】
携帯端末用手帳型多機能ケースのカバーを２つ折りにし、２組のホックを留めケースを閉じた状態から、２組のホックの内いずれか片方を外し、ケースを開き、カバーを閉じていた時と逆向きに折り曲げ、さらに帯を１８０度回転させ、閉じていた時と逆に反らせたあと、ホックを再び留めることでカバーはＶ字に固定され、カバー側面を上にして、置くことで安定して横向きで使用でき、画面が見えやすい角度に固定出来るように、帯の長さを設定し、ホック突の取付け位置を設けたことを特徴とする請求項１記載の携帯端末用手帳型多機能ケース。
【請求項４】
携帯端末用手帳型多機能ケースのカバーを２つ折りにし、２組のホックを留めケースを閉じた状態から、２組のホックの内いずれか片方を外し、カバーを３６０度開き、帯を９０度下に回転することにより、通話中にカバーから帯がはみ出すことなく収納されるように、帯の長さを設定し、ホック突の取付け位置を設けたことを特徴とする請求項１記載の携帯端末用手帳型多機能ケース。
【発明の詳細な説明】
【技術分野】
【０００１】左右どちらの利き手によらず、携帯端末を素早く縦向き、横向きに安定して置き使用でき、携帯端末使用時に帯を収納する携帯端末用手帳型多機能ケースに関する。
【背景技術】
【０００２】従来の製品は帯部が固定式の為、利き手によっては開きづらく、携帯端末使用時には帯部が画面を遮るなど煩わしいものである。また、縦置きと横置き両方において安定して置けるものは皆無である。さらに、横置きで使用する場合は、本体カバー部を鋭角に折り曲げる為に素材に負荷がかかり耐久性が乏しく、画面の角度は固定されず素材の硬さに頼るなど、大変不安定なものである。その上、製造工程に於いては硬さを調整するために芯材を多用するなど、甚だ煩雑である。
【先行技術文献】
【特許文献】
【０００３】
【特許文献１】特開２０１１−１２５５２０公報
【発明の概要】
【発明が解決しようとする課題】
【０００４】安定して縦置き、横置きができ、かつ電話やカメラ使用時などに帯部を収納できるケースを提供し、健常者に限らず高齢者や手の不自由な方、そして負傷者でも使いやすい様、極簡単な構造、使用方法で提供することを目的とする。
【課題を解決するための手段】
【０００５】携帯端末本体を保護するカバーとその開閉用の帯で構成し、カバーは携帯端末正面の画面を保護するカバー正面、携帯端末の片側側面を保護するカバー側面、携帯端末の背面を取り付け保護するカバー背面を備え、カバー正面とカバー背面には、外側のカバーが開く側寄りにそれぞれ１ヶ所ホック突を備え、帯には本体側ホック突と係脱するホック孔を両端に設け、この２組のホックの留め外しによって、左右どちらの利き手でも開閉が可能とすることを特徴とする携帯端末用手帳型多機能ケースである。【０００６】携帯端末用手帳型多機能ケースのカバーを２つ折りにし、２組のホックを留めケースを閉じた状態から、２組のホックの内いずれか片方を外し、ケースを開き、カバーを閉じていた時と逆向きに折り曲げ、さらに帯を１８０度回転させ、閉じていた時と逆に反らせたあと、ホックを再び留めることでカバーはＶ字に固定され、安定して縦置きし、横置きで画面が見やすくなるように、かつ、帯を収納できるようにホック突の取付け位置と、帯の長さを設定したことを特徴とする請求項１記載の携帯端末用手帳型多機能ケース。
【発明の効果】
【０００７】本発明は、ホックを２つ設けることによって左右どちらの利き手でも開閉が可能になる。そして、携帯端末使用時に片側ホックを外すことにより、帯はカバーに取り付けられたまま３６０度回転出来るようになる。このことによって通話時やカメラ使用時などどのような使用状態でも、その都度状況にあわせて収納され、使用者を煩わせない。さらにケースを閉じているのとは逆に、カバーと帯を反らせるように折り曲げてホックを留めることで、しっかりと安定して携帯端末を横向きにも縦向きにも置けるようになる。これにより動画の視聴や自身の撮影などが用意に出来るようになる。このカバーと帯と２組のホックによるシンプルな構造は長い年月の使用においてもその安定性は変わらない。シンプルな構造、使用方法により前述のあらゆる使用者にとって便利になるばかりでなく、製造コストを削減でき安価で提供することができるようになる。
【図面の簡単な説明】
【０００８】
【図１】本発明の携帯端末用手帳型多機能ケースの構成
【図２】本発明の携帯端末用手帳型多機能ケースを縦及び横置きで使用する手順
【図３】本発明の携帯端末用手帳型多機能ケースを閉じて下から見た斜視図である。
【図４】本発明の携帯端末用手帳型多機能ケースを横置き使用した状態の横から見た斜視図である。
【発明を実施するための形態】
【０００９】図１で、本発明の携帯端末用手帳型多機能ケースの構成を示す。カバー２及び帯３を外側から観た図である。
本発明の携帯端末用手帳型多機能ケースは、携帯端末本体を保護するカバー２とその開閉用の帯部３で構成する。
カバー２は携帯端末正面の画面を保護するカバー正面２１、携帯端末の片側側面を保護するカバー側面２２、携帯端末の背面を取り付け保護するカバー背面２３からなる。
カバー正面２１とカバー背面２３の外側には、中央よりややカバーが開く側寄りにそれぞれ１ヶ所ずつホック突２１１，２３１を備える。
帯３は、長尺状の本体３１と、ホック突２１１，２３１と係脱するホック孔３２を両端に設ける。
この２組のホックをワンタッチで留め外しすることによって、左右どちらの利き手でも開閉が可能になり、安定した縦及び横置きが可能になるシンプルな構造で使用方法が簡単な携帯端末用手帳型多機能ケースとした。
【００１０】帯３のホックどちらか片側を外すことによりカバーの開閉が可能になる。カバー２を開けると帯３がカバー２に取り付けられたまま３６０度回転し、携帯端末使用時に収納され邪魔にならない。
図２に示すように、カバー２を開けて帯３を１８０度回転し、カバー２と帯３それぞれを逆に折り返しホックを再度留める。この状態で、安定して縦置き横置き使用が可能になる。
【００１１】図３に、本発明の携帯端末用手帳型多機能ケースを閉じて下から見た斜視図、図４に本発明の携帯端末用手帳型多機能ケースを横置き使用した状態の横から見た斜視図を示す。
帯３は、両端のホックを取り外すことができるので、携帯端末用手帳型多機能ケースを閉じて保持したり、携帯端末用手帳型多機能ケースを横置きのときなどに、その形状を保持するのに使用できる。
【００１２】図２で、本発明の携帯端末用手帳型多機能ケースを縦及び横置きで使用する手順を説明する。（ａ）から（ｄ）で、本発明の携帯端末用手帳型多機能ケース閉じた状態から、縦及び横置きで使用する場合の手順を示す。
（ａ）カバー２を２つ折りにし、２組のホックを留めケースを閉じる。
（ｂ）２組のホックの内いずれか片方を外し、ケースを開く（図では、正面側）。
（ｃ）カバー２を閉じていた時と逆向きに折り曲げる。さらに帯３を１８０度回転させ、閉じていた時と逆に反らせたあと、ホックを再び留める。これでカバー２はＶ字に固定され縦置きが可能になる。
（ｄ）（ｃ）の状態のままカバー側面２２が上になるように置くことで横置きが可能になる。
【００１３】このように、本発明の携帯端末用手帳型多機能ケースは，（ａ）のように二つ折りにしたときカバーが開かないよう閉じて保護し、かつ縦置き（ｃ）するときには安定して立てられ、かつ横置き（ｄ）にするときには、ちょうど画面が見えやすい角度に固定出来るように、帯の長さを設定し、ホック突の取付け位置を決めている。さらに、帯を収納するときにカバーからはみ出さないよう、ホック突の位置は、帯幅の１／２より内側に設置し、帯の長さは、片側ホックを外して９０度下に向けてもカバーからはみ出さないよう設定する。
これら多くの条件を同時に満たす構造にしない限り、この携帯端末用手帳型多機能ケースは実現しない。
図４に本発明の携帯端末用手帳型多機能ケースを横置き使用した状態の横から見た斜視図を示す。
ホック突の取付け位置と、帯の長さを設定したことを特徴とする。
【産業上の利用可能性】
【００１４】利き手によらず開閉でき、帯が収納でき、かつ携帯端末を素早く横向き、縦向きに安定して置き使用できる携帯端末用手帳型多機能ケースを提供する。
【符号の簡単な説明】
【００１５】１  携帯端末用手帳型多機能ケース
２  カバー
２１  カバー正面
２１１  ホック突
２２  カバー側面
２３  カバー背面
２３１  ホック突
３  帯
３１  本体
３２  ホック孔
４  携帯端末
【図１】
2016208479.tif 000003
【図２】
2016208479.tif 000004
【図３】
2016208479.tif 000005
【図４】
2016208479.tif 000006